【手続補正書】
【提出日】平成26年7月9日(2014.7.9)
【手続補正１】
【補正対象書類名】特許請求の範囲
【補正対象項目名】全文
【補正方法】変更
【補正の内容】
【特許請求の範囲】
【請求項１】
少なくとも９０％の飽和度を有し、グループＩＩの基油、グループＩＩＩの基油、グループＩＶの基油およびグループＶの基油ならびにこれらの混合物から選択される、主要量の基油および少量の添加剤パッケージを含んでなるエンジンオイルであって、該添加剤パッケージが、
（Ａ）
（ａ）式ＩＶ：
【化１】
2014122342.tif 000001
［式中、Ｒは約８〜約２２個の炭素原子をもつ、直線状もしくは分枝状の、飽和、不飽和、または一部飽和ヒドロカルビル基である］
の化合物とのアルコールの、１種以上の反応生成物、および
（ｂ）式ＩＩ〜ＩＩＩ：
【化２】
2014122342.tif 000002
［式中、Ｒは約８〜約２２個の炭素原子をもつ、直線状もしくは分枝状の、飽和、不飽和、または一部飽和ヒドロカルビルであり、そしてＲ2とＲ3は独立に、水素、Ｃ1〜Ｃ18ヒドロカルビル基および、１個以上のヘテロ原子を含むＣ1〜Ｃ18ヒドロカルビル基から選択される］；
【化３】
2014122342.tif 000003
［式中、Ｒは約８〜約２２個の炭素原子をもつ、直線状もしくは分枝状の、飽和、不飽和、または一部飽和ヒドロカルビルであり、そしてＸはアルカリ金属、アルカリ土類金属またはアンモニウムのカチオンであり、そしてｎはカチオンＸの原子価である］；
の１種以上の化合物：
から選択される摩擦修正剤成分、並びに
（Ｂ）少なくとも１種の分散剤：
を含んでなる、エンジンオイル。
【請求項２】
添加剤パッケージが、式ＩＶの化合物とのアルコールの、少なくとも１種の反応生成物を含んでなる、請求項１のエンジンオイル。
【請求項３】
式ＩＶの化合物とのアルコールの、１種以上の反応生成物が、式Ｉ：
【化４】
2014122342.tif 000004
［式中、Ｒは約８〜約２２個の炭素原子をもつ、直線状もしくは分枝状の、飽和、不飽和、または一部飽和ヒドロカルビルであり、そしてＲ1は水素、約１〜約８個の炭素原子をもつヒドロカルビルまたは、１個以上のヘテロ原子を含むＣ1〜Ｃ8ヒドロカルビル基である］の１種以上の化合物を含んでなる、請求項２のエンジンオイル。
【請求項４】
添加剤パッケージが式ＩＩの１種以上の化合物を含んでなる、請求項１のエンジンオイル。
【請求項５】
添加剤パッケージが式ＩＩＩの少なくとも１種の塩を含んでなる、請求項１のエンジンオイル。
【請求項６】
添加剤パッケージが、式ＩＶの１種以上の化合物とのアルコールの反応生成物、および式ＩＩ〜ＩＩＩの化合物、から独立に選択される、少なくとも２種の異なる化合物を含んでなる、請求項１のエンジンオイル。
【請求項７】
Ｒ1が約１〜約８個の炭素原子をもつヒドロカルビル基である、請求項３および６のいずれか１項のエンジンオイル。
【請求項８】
Ｒ1が１個以上のヘテロ原子を含むＣ1〜Ｃ8ヒドロカルビル基を含む、ヒドロカルビル基である、請求項３および６のいずれか１項のエンジンオイル。
【請求項９】
Ｒ2とＲ3が独立に、水素、Ｃ1〜Ｃ18ヒドロカルビル基および、１個以上のヘテロ原子を含むＣ1〜Ｃ18ヒドロカルビル基、から選択される、請求項４および６のいずれか１項のエンジンオイル。
【請求項１０】
Ｒ2とＲ3が独立に、水素およびＣ4〜Ｃ8ヒドロカルビル基から選択される、請求項４および６のいずれか１項のエンジンオイル。
【請求項１１】
式ＩＩＩの１種以上の化合物が、ナトリウム、リチウム、カリウム、カルシウム、マグネシウムおよびアミンから選択される１個以上のカチオンの塩である、請求項４および６のいずれか１項のエンジンオイル。
【請求項１２】
少なくとも９０％の飽和度を有し、グループＩＩの基油、グループＩＩＩの基油、グループＩＶの基油およびグループＶの基油ならびにこれらの混合物から選択される、主要量の基油および少量の添加剤パッケージを含んでなる潤滑油であって、該添加剤パッケージが、
（Ａ）式ＩＶ：
【化５】
2014122342.tif 000005
［式中、Ｒは約８〜約２２個の炭素原子をもつ、直線状もしくは分枝状の、飽和、不飽和、または一部飽和ヒドロカルビル基である］の化合物と、式Ｖ：
【化６】
2014122342.tif 000006
［式中、Ｒ2、Ｒ3およびＲ4は独立に、水素、Ｃ1〜Ｃ18ヒドロカルビル基並びにＣ3〜Ｃ12ヒドロカルビル基および１個以上のヘテロ原子を含む炭化水素、から選択される］
のアミンとの、１種以上の反応生成物；並びに
（Ｂ）少なくとも１種の分散剤：
を含んでなる、エンジンオイル。
【請求項１３】
少なくとも９０％の飽和度を有し、グループＩＩの基油、グループＩＩＩの基油、グループＩＶの基油およびグループＶの基油ならびにこれらの混合物から選択される、主要量の基油および少量の添加剤パッケージを含んでなる潤滑油であって、該添加剤パッケージが、
（Ａ）式ＩＶ：
【化７】
2014122342.tif 000007
［式中、Ｒは約８〜約２２個の炭素原子をもつ、直線状もしくは分枝状の、飽和、不飽和、または一部飽和ヒドロカルビル基である］の１種以上の化合物と、アルカリ金属の水酸化物およびアルカリ土類金属の水酸化物、アルカリ金属の酸化物、アルカリ土類金属の水酸化物、アンモニア、アミンまたはそれらの混合物との反応生成物である、１種以上の塩；並びに
（Ｂ）少なくとも１種の分散剤：
を含んでなる、エンジンオイル。
【請求項１４】
少なくとも９０％の飽和度を有し、グループＩＩの基油、グループＩＩＩの基油、グループＩＶの基油およびグループＶの基油ならびにこれらの混合物から選択される、主要量の基油および少量の添加剤パッケージを含んでなる潤滑油であって、該添加剤パッケージが、
（Ａ）式ＩＶ：
【化８】
2014122342.tif 000008
［式中、Ｒは約８〜約２２個の炭素原子をもつ、直線状もしくは分枝状の、飽和、不飽和、または一部飽和ヒドロカルビル基である］の１種以上の化合物と、１種以上のアミンアルコールとの、１種以上の反応生成物；並びに
（Ｂ）少なくとも１種の分散剤：
を含んでなる、エンジンオイル。
【請求項１５】
Ｒが約１０〜約２０個の炭素原子を有する、請求項１〜１４のいずれか１項のエンジンオイル。
【請求項１６】
Ｒが約１２〜約１８個の炭素原子を有する、請求項１〜１４のいずれか１項のエンジンオイル。
【請求項１７】
添加剤パッケージが更に、抗酸化剤、消泡剤、モリブデン含有化合物、チタン含有化合物、リン含有化合物、粘度指数向上剤、流動点降下剤、および希釈油よりなる群から選択される少なくとも１種の添加剤を含んでなる、請求項１〜１６のいずれか１項のエンジンオイル。
【請求項１８】
少なくとも１種の分散剤がポリアルキレン・スクシンイミドを含んでなる、請求項１〜１７のいずれか１項のエンジンオイル。
【請求項１９】
少なくとも１種のポリアルキレン・スクシンイミドがホウ素化合物、無水物、アルデヒド、ケトン、リン化合物、エポキシドおよびカルボン酸から選択される１種以上の化合物で後処理される、請求項１８のエンジンオイル。
【請求項２０】
少なくとも１種の分散剤が、９００を超える数平均分子量をもつポリイソブチレンから調製されるポリイソブチレン・スクシンイミドを含んでなる、請求項１〜１７のいずれか１項のエンジンオイル。
【請求項２１】
少なくとも１種の分散剤が、約１２００〜約５０００の数平均分子量をもつポリイソブチレンから調製されるポリイソブチレン・スクシンイミドを含んでなる、請求項１〜１７のいずれか１項のエンジンオイル。
【請求項２２】
少なくとも１種の分散剤が５０％を超える末端ビニリデンをもつポリイソブチレンから調製されるポリイソブチレン・スクシンイミドを含んでなる、請求項１〜１４のいずれか１項のエンジンオイル。
【請求項２３】
少なくとも１種のポリイソブチレン・スクシンイミド分散剤がトリアルキレン・アミンテトラミンおよびテトラアルキレン・ペンタミンから選択されるアミンから誘導される、請求項１〜１４のいずれか１項のエンジンオイル。
【請求項２４】
少なくとも１種のポリイソブチレン・スクシンイミドがホウ素化合物で後処理され、またエンジンオイルのホウ素含量が約２００〜５００ｐｐｍのホウ素である、請求項２０〜２３のいずれか１項のエンジンオイル。
【請求項２５】
分散剤の総量がエンジンオイルの総重量の約２０重量％未満である、請求項１〜２４のいずれか１項のエンジンオイル。
【請求項２６】
分散剤の総量が、エンジンオイルの総重量の０．１重量％〜１５重量％の範囲内にある、請求項１〜２４のいずれか１項のエンジンオイル。
【請求項２７】
請求項１〜２６のいずれか１項のエンジンオイルを使用して、エンジンを潤滑する工程を含んでなる、エンジン内の薄膜および境界層の摩擦を改善する方法。
【請求項２８】
改善される薄膜および境界層の摩擦が１種以上の摩擦修正剤成分の不存在下における同一組成物に関連して決定される、請求項２７に請求される方法。
【請求項２９】
請求項１〜２６のいずれか１項のエンジンオイルを使用して、エンジンを潤滑する工程を含んでなる、エンジン内の境界層の摩擦を改善する方法。
【請求項３０】
改善される境界層の摩擦が、１種以上の摩擦修正剤成分の不存在下における同一組成物に関連して決定される、請求項２９に請求される方法。
【請求項３１】
請求項１〜２６のいずれか１項のエンジンオイルを使用して、エンジンを潤滑する工程を含んでなる、エンジン内の薄膜の摩擦を改善する方法。
【請求項３２】
改善される薄膜の摩擦が、１種以上の摩擦修正剤成分の不存在下における同一組成物に関連して決定される、請求項３１に請求される方法。